(57)【要約】【課題】操作者画像のみならず当該操作者に関連する個人属性情報等も含んだ画像シールを作成する。【解決手段】操作者を撮影するカメラユニット７と、無線タグ回路素子Ｔoを備えたシール基材テープ１０１に対し、カメラユニット７で撮影した操作者画像Ｐを形成するための印刷ヘッド１２と、無線タグ回路素子Ｔoとの間で無線通信により情報の送受信を行うための内部アンテナ１４、外部アンテナ９及び高周波回路２１とを有し、プロフィール入力処理で入力した操作者の個人属性情報を、画像シール体作成処理のステップＳ７２５で無線タグ回路素子ＴoのＩＣ回路部に書き込むよう制御し、無線タグ回路素子Ｔo及び操作者画像Ｐをそれぞれ有する複数のタグ付き画像シールＳｉを備えた画像シール体Ｓｔを作成する。【選択図】図２
2008035433.tif 000002
【特許請求の範囲】
【請求項１】
操作者を撮影する撮影手段と、
前記操作者の個人属性情報を入力する情報入力手段と、
情報を記憶するＩＣ回路部とこのＩＣ回路部に接続されたタグ側アンテナとを備えた無線タグ回路素子を備えたタグ媒体に対し、前記撮影手段で撮影した操作者画像を形成するための画像形成手段と、
前記無線タグ回路素子との間で無線通信により情報の送受信を行うための送受信手段と、
前記情報入力手段で入力した個人属性情報又はこれに対応付けられた情報を、前記送受信手段を介し、前記無線タグ回路素子の前記ＩＣ回路部に書き込む書き込み制御手段とを有し、
前記無線タグ回路素子及び前記操作者画像をそれぞれ有する複数のタグ付き画像シールを備えた画像シール体を作成することを特徴とする画像シール作成装置。
【請求項２】
請求項１記載の画像シール作成装置において、
前記書き込み制御手段は、
前記個人属性情報又はこれに対応付けられた情報として、前記撮影手段で撮影した前記操作者画像データ又はこれに対応付けられた情報を前記無線タグ回路素子に書き込むことを特徴とする画像シール作成装置。
【請求項３】
請求項２記載の画像シール作成装置において、
前記撮影手段は、複数人の前記操作者を撮影し、
前記情報入力手段は、複数人の前記個人属性情報を入力し、
前記書き込み制御手段は、
前記複数人の個人属性情報又はこれに対応付けられた情報を、前記複数のタグ付き画像シールに備えられた前記複数の無線タグ回路素子に書き込むことを特徴とする画像シール作成装置。
【請求項４】
請求項３記載の画像シール作成装置において、
前記書き込み制御手段は、
前記複数のタグ付き画像シールのうち第１タグ付き画像シールに備えられる第１無線タグ回路素子に、前記複数人のうち第１人物の個人属性情報又はこれに対応付けられた情報を書き込み、
前記複数のタグ付き画像シールのうち第２タグ付き画像シールに備えられる第２無線タグ回路素子に、前記複数人のうち第２人物の個人属性情報又はこれに対応付けられた情報を書き込む
ことを特徴とする画像シール作成装置。
【請求項５】
請求項３記載の画像シール作成装置において、
前記書き込み制御手段は、
前記複数のタグ付き画像シールのうち第３タグ付き画像シールに備えられる第３無線タグ回路素子に、前記複数人のうち少なくとも２人の個人属性情報又はこれに対応付けられた情報を書き込む
ことを特徴とする画像シール作成装置。
【請求項６】
請求項３記載の画像シール作成装置において、
前記書き込み制御手段は、
前記複数のタグ付き画像シールのうち第４タグ付き画像シールに備えられる第４無線タグ回路素子に、前記複数人全員の個人属性情報又はこれに対応付けられた情報を書き込む
ことを特徴とする画像シール作成装置。
【請求項７】
請求項１乃至６のいずれか１項記載の画像シール作成装置において、
前記タグ媒体を供給可能に収納したタグ媒体収納体を着脱可能な収納体着脱手段と、
この収納体着脱手段に装着された前記タグ媒体収納体より供給された前記タグ媒体を搬送する搬送手段と
を有することを特徴とする画像シール作成装置。
【請求項８】
請求項７記載の画像シール作成装置において、
前記収納体着脱手段は、
前記タグ媒体としてのタグテープを巻回したタグテープロールを収納したロールカートリッジを着脱可能なロールカートリッジホルダであり、
前記搬送手段は、
前記ロールカートリッジホルダに装着された前記ロールカートリッジの前記タグテープロールから繰り出した前記タグテープを搬送するテープ搬送手段であり、
このテープ搬送手段で搬送される前記タグテープを所定の長さ単位ごとに分断する分断手段を設けた
ことを特徴とする画像シール作成装置。
【請求項９】
請求項７記載の画像シール作成装置において、
前記収納体着脱手段は、
前記タグ媒体として、略シート状に構成された剥離材と、略シート状の形状を備え前記無線タグ回路素子をそれぞれ備えた複数の領域ごとに個別に前記剥離材より剥離可能に構成されたシール本体とを含むタグシートを供給可能なシートカートリッジを着脱可能なシートカートリッジホルダであり、
前記搬送手段は、
前記シートカートリッジホルダに装着された前記シートカートリッジから供給された前記タグシートを搬送するシート搬送手段である
ことを特徴とする画像シール作成装置。
【請求項１０】
請求項１乃至９のいずれか１項記載の画像シール作成装置において
作成された前記タグ付き画像シールに備えられた前記無線タグ回路素子の前記ＩＣ回路部に記憶された前記個人属性情報又はこれに対応付けられた情報を、前記送受信手段を介し読み取る読み取り制御手段を有する
ことを特徴とする画像シール作成装置。
【請求項１１】
請求項１０記載の画像シール作成装置において、
前記読み取り制御手段は、前記個人属性情報又はこれに対応付けられた情報として、前記ＩＣ回路部に記憶された前記操作者画像データ又はこれに対応付けられた情報を、前記送受信手段を介し読み取ることを特徴とする画像シール作成装置。
【請求項１２】
請求項１０又は１１記載の画像シール作成装置において、
前記読み取り制御手段での読み取り結果に応じて取得した前記個人属性情報の内容を編集するための編集指示信号を入力する指示入力手段を
有することを特徴とする画像シール作成装置。
【請求項１３】
請求項１０乃至１２のいずれか１項記載の画像シール作成装置において、
前記読み取り制御手段による読み取り結果に応じて、前記画像形成手段による画像形成動作、及び、前記書き込み制御手段による情報書き込み動作を連携して制御する連携制御手段を有することを特徴とする画像シール作成装置。
【請求項１４】
請求項１３記載の画像シール作成装置において、
前記作成された前記タグ付き画像シールの当該作成後の経過日数情報、及び、操作者による入金情報のうち少なくともいずれか一方に応じて、前記連携制御手段の制御に基づく前記タグ付き画像シールの作成を制限する第１制限制御手段を有することを特徴とする画像シール作成装置。
【請求項１５】
請求項１３記載の画像シール作成装置において、
前記作成された前記タグ付き画像シールに複数人の前記操作者画像が形成されている場合には、前記読み取り制御手段で前記複数人それぞれの前記個人属性情報又はこれに対応づけられた情報を読み取ったかどうかに応じて、前記連携制御手段の制御に基づく前記タグ付き画像シールの作成を制限する第２制限制御手段を有することを特徴とする画像シール作成装置。
【発明の詳細な説明】
【技術分野】
【０００１】
本発明は、操作者画像を有する画像シールを作成する画像シール作成装置に関するものである。
【背景技術】
【０００２】
従来、例えばゲームセンター、ボウリング場、遊園地等の娯楽施設等において、操作者の写真を撮影し、その画像を背景画像や落書き等と合成して画像シールを作成する画像シール作成装置が既に知られており、広く利用されている（例えば、特許文献１参照）。
【０００３】
この画像シール作成装置は特に女子学生等に人気があるが、複数の友人に自己の画像を備えた画像シールを配布したり、友人同士でお互いの画像シールを交換したりして、多数の友人の画像シールを所持しているのが通常である。そして、各シールに対応した友人の名前や間柄などの個人情報（個人属性情報）等を、画像シールの裏に書き込んだり、画像シールを貼り付けた領域のその脇に個人属性情報等を記載したりして区別し、自ら便宜を図っている。
【０００４】
【特許文献１】特開２００５−２１７８８１号公報
【発明の開示】
【発明が解決しようとする課題】
【０００５】
一方、小型の無線タグとリーダ（読み取り装置）／ライタ（書き込み装置）との間で非接触で情報の読み取り／書き込みを行うＲＦＩＤ（Radio  Frequency  Identification）システムが知られている。無線タグは、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能である。そして、物品管理や検査工程等の様々な分野において既に実用化が進められており、近年は、個人属性情報の保持記憶や守秘についても実用化が検討されている。
【０００６】
したがって、前述の画像シールに対し上記無線タグを適用し、画像シールに併せて設けた無線タグ回路素子に対応する友人の個人属性情報を記憶させるようにすれば非常に便利であるが、そのような画像シールを作成できる画像シール作成装置は従来存在しなかった。
【０００７】
本発明の目的は、操作者画像のみならず当該操作者に関連する個人属性情報等も含んだ画像シールを作成できる画像シール作成装置を提供することにある。
【課題を解決するための手段】
【０００８】
上記目的を達成するために、第１の発明は、操作者を撮影する撮影手段と、前記操作者の個人属性情報を入力する情報入力手段と、情報を記憶するＩＣ回路部とこのＩＣ回路部に接続されたタグ側アンテナとを備えた無線タグ回路素子を備えたタグ媒体に対し、前記撮影手段で撮影した操作者画像を形成するための画像形成手段と、前記無線タグ回路素子との間で無線通信により情報の送受信を行うための送受信手段と、前記情報入力手段で入力した個人属性情報又はこれに対応付けられた情報を、前記送受信手段を介し、前記無線タグ回路素子の前記ＩＣ回路部に書き込む書き込み制御手段とを有し、前記無線タグ回路素子及び前記操作者画像をそれぞれ有する複数のタグ付き画像シールを備えた画像シール体を作成することを特徴とする。
【０００９】
本願第１発明においては、撮影手段で操作者が撮影され、画像形成手段でその撮影した操作者画像を被形成体であるタグ媒体に形成する。このとき、このタグ媒体には無線タグ回路素子が備えられており、操作者の個人属性情報が情報入力手段で入力されると、送受信手段を介した無線通信により書き込み制御手段がその個人属性情報（又はこれに対応付けられた情報）を無線タグ回路素子に書き込む。これにより、当該個人属性情報等が書き込まれた無線タグ回路素子と操作者画像をそれぞれ有する複数のタグ付き画像シールを備えた画像シール体を作成する。
【００１０】
このように、画像シールに無線タグ回路素子が備えられ、さらにその無線タグ回路素子に操作者の個人属性情報等が記憶されていることにより、操作者画像のみならず当該操作者に関連する個人属性情報等も含んだ画像シールを実現することができる。この結果、当該個人属性情報の各種活用を可能とすることで、娯楽性や情報処理への応用性を高め、画像シールとしての商品価値を高めることができる。
【００１１】
第２発明は、上記第１発明において、前記書き込み制御手段は、前記個人属性情報又はこれに対応付けられた情報として、前記撮影手段で撮影した前記操作者画像データ又はこれに対応付けられた情報を前記無線タグ回路素子に書き込むことを特徴とする。
【００１２】
これにより、作成された画像シールの無線タグ回路素子に書き込まれた情報を後に読み取ることで操作者画像データを取得し、作成時の操作者画像を再現することが可能となる。
【００１３】
第３発明は、上記第２発明において、前記撮影手段は、複数人の前記操作者を撮影し、前記情報入力手段は、複数人の前記個人属性情報を入力し、前記書き込み制御手段は、前記複数人の個人属性情報又はこれに対応付けられた情報を、前記複数のタグ付き画像シールに備えられた前記複数の無線タグ回路素子に書き込むことを特徴とする。
【００１４】
これにより、複数人で利用したときに、それら複数人の操作者画像と当該複数人操作者に関連する個人属性情報等も含んだ画像シールを実現することができる。
【００１５】
第４発明は、上記第３発明において、前記書き込み制御手段は、前記複数のタグ付き画像シールのうち第１タグ付き画像シールに備えられる第１無線タグ回路素子に、前記複数人のうち第１人物の個人属性情報又はこれに対応付けられた情報を書き込み、前記複数のタグ付き画像シールのうち第２タグ付き画像シールに備えられる第２無線タグ回路素子に、前記複数人のうち第２人物の個人属性情報又はこれに対応付けられた情報を書き込むことを特徴とする。
【００１６】
複数人で操作して個人属性情報を含むタグ付き画像シールを作成したとき、すべてのタグ付き画像シールの無線タグ回路素子に複数人分の個人属性情報等を書き込まず、第１無線タグ回路素子には第１人物の情報、第２無線タグ回路素子には第２人物の情報、のように１人分の個人属性情報等のみを書き込むようにする。これにより、例えば他人に配るタグ付き画像シールには自己の個人属性情報等を書き込まないようにしたり、特定のタグ付き画像シールに特定人物の個人属性情報のみを書き込むようにする等、タグ付き画像シールごとに情報付与設定を行うことが可能となり、さらに多様なニーズに対応でき、利便性が向上する。
【００１７】
第５発明は、上記第３発明において、前記書き込み制御手段は、前記複数のタグ付き画像シールのうち第３タグ付き画像シールに備えられる第３無線タグ回路素子に、前記複数人のうち少なくとも２人の個人属性情報又はこれに対応付けられた情報を書き込むことを特徴とする。
【００１８】
複数人で操作して個人属性情報を含むタグ付き画像シールを作成したとき、例えば複数の第３タグ付き画像シールの第３無線タグ回路素子には少なくとも２人分の個人属性情報等を書き込むことで、当該少なくとも２人分の情報を第３タグ付き画像シール同士で共有することができる。
【００１９】
第６発明は、上記第３発明において、前記書き込み制御手段は、前記複数のタグ付き画像シールのうち第４タグ付き画像シールに備えられる第４無線タグ回路素子に、前記複数人全員の個人属性情報又はこれに対応付けられた情報を書き込むことを特徴とする。
【００２０】
複数人で操作して個人属性情報を含むタグ付き画像シールを作成したとき、例えば複数の第４タグ付き画像シールの第４無線タグ回路素子に複数人全員分の個人属性情報等を書き込むことで、全員分の情報をそれら複数の第４タグ付き画像シールで一律に共有することができる。
【００２１】
第７発明は、上記第１乃至第６発明のいずれかにおいて、前記タグ媒体を供給可能に収納したタグ媒体収納体を着脱可能な収納体着脱手段と、この収納体着脱手段に装着された前記タグ媒体収納体より供給された前記タグ媒体を搬送する搬送手段とを有することを特徴とする。
【００２２】
収納体着脱手段にタグ媒体収納体を装着すると、タグ媒体収納体より供給されたタグ媒体が搬送手段で搬送され、これを用いて画像シールが作成される。このように画像シールの作成とともに消費するタグ媒体を着脱可能なタグ媒体収納体の態様とすることで、タグ媒体の交換を容易とすることができる。
【００２３】
第８発明は、上記第７発明において、前記収納体着脱手段は、前記タグ媒体としてのタグテープを巻回したタグテープロールを収納したロールカートリッジを着脱可能なロールカートリッジホルダであり、前記搬送手段は、前記ロールカートリッジホルダに装着された前記ロールカートリッジの前記タグテープロールから繰り出した前記タグテープを搬送するテープ搬送手段であり、このテープ搬送手段で搬送される前記タグテープを所定の長さ単位ごとに分断する分断手段を設けたことを特徴とする。
【００２４】
ロールカートリッジホルダにロールカートリッジを装着すると、ロールカートリッジのタグテープロールから繰り出されたタグテープがテープ搬送手段で搬送される。この搬送されるタグ媒体としてのタグテープに対し、画像形成手段で操作者画像を形成し、無線タグ回路素子のＩＣ回路部に書き込み制御手段で個人属性情報等を書き込む。このような各種処理を施したタグテープを分断手段で所定長さ単位で分断することにより、個人属性情報等を含む複数の画像シールを円滑に作成し、個別に貼り付けて利用することができる。
【００２５】
第９発明は、上記第７発明において、前記収納体着脱手段は、前記タグ媒体として、略シート状に構成された剥離材と、略シート状の形状を備え前記無線タグ回路素子をそれぞれ備えた複数の領域ごとに個別に前記剥離材より剥離可能に構成されたシール本体とを含むタグシートを供給可能なシートカートリッジを着脱可能なシートカートリッジホルダであり、前記搬送手段は、前記シートカートリッジホルダに装着された前記シートカートリッジから供給された前記タグシートを搬送するシート搬送手段であることを特徴とする。
【００２６】
シートカートリッジホルダにシートカートリッジを装着すると、シートカートリッジから供給されたタグシートがシート搬送手段で搬送される。この搬送されるタグ媒体としてのタグシートに対し、画像形成手段で操作者画像を形成し、無線タグ回路素子のＩＣ回路部に書き込み制御手段で個人属性情報等を書き込む。このようにして、個人属性情報等を含む複数の画像シールを備えた画像シール体を円滑に作成し、使用時には、略シート状の剥離材から(画像形成及び無線タグ回路素子への情報書き込みを行った)シール本体を各領域に剥離して、タグ付き画像シールとして用いる。これにより、個人属性情報等を含む複数の画像シールを個別に貼り付けて利用することができる。
【００２７】
第１０発明は、上記第１乃至第９発明のいずれかにおいて、作成された前記タグ付き画像シールに備えられた前記無線タグ回路素子の前記ＩＣ回路部に記憶された前記個人属性情報又はこれに対応付けられた情報を、前記送受信手段を介し読み取る読み取り制御手段を有することを特徴とする。
【００２８】
作成されたタグ付き画像シールに備えられた無線タグ回路素子のＩＣ回路部に記憶された操作者の個人属性情報等を読み取り制御手段で読み取ることにより、当該個人属性情報の各種活用が可能となり、娯楽性や情報処理への応用展開を図ることができる。
【００２９】
第１１発明は、上記第１０発明において、前記読み取り制御手段は、前記個人属性情報又はこれに対応付けられた情報として、前記ＩＣ回路部に記憶された前記操作者画像データ又はこれに対応付けられた情報を、前記送受信手段を介し読み取ることを特徴とする。
【００３０】
作成されたタグ付き画像シールに形成されている当該操作者画像のデータを取得することができるので、当該データを用いて、同一の操作者画像を備えた新たな画像シールを容易に作成(画像の複製)することが可能となる。
【００３１】
第１２発明は、上記第１０又は第１１発明において、前記読み取り制御手段での読み取り結果に応じて取得した前記個人属性情報の内容を編集するための編集指示信号を入力する指示入力手段を有することを特徴とする。
【００３２】
これにより、読み取り制御手段での読み取りに基づく個人属性情報を、指示入力手段で入力した編集指示信号に対応し、単なる同一データの複製でなく当該データを修正・変更できるので、利便性を向上することができる。
【００３３】
第１３発明は、上記第１０乃至第１２発明のいずれにおいて、前記読み取り制御手段による読み取り結果に応じて、前記画像形成手段による画像形成動作、及び、前記書き込み制御手段による情報書き込み動作を連携して制御する連携制御手段を有することを特徴とする。
【００３４】
これにより、作成されたタグ付き画像シールに備えられた無線タグ回路素子のＩＣ回路部に記憶された操作者の個人属性情報等を取得し、その取得した個人属性情報等を利用（複製又は修正・変更等）して、再度、画像形成手段で画像を形成しまた書き込み制御手段で情報書き込みを行い画像シールを作成することができる。これにより、同一シールの再作成や、(画像を含む)同一情報を書き込んだシールの作成や、さらには類似シール・類似情報書き込みシールの作成を容易に行うことが可能となる。
【００３５】
第１４発明は、上記第１３発明において、前記作成された前記タグ付き画像シールの当該作成後の経過日数情報、及び、操作者による入金情報のうち少なくともいずれか一方に応じて、前記連携制御手段の制御に基づく前記タグ付き画像シールの作成を制限する第１制限制御手段を有することを特徴とする。
【００３６】
前回作成後の経過日数や入金情報に応じて第１制限制御手段でシール作成を制限する構成とすることにより、例えば所定の有効期間に限りシール再作成を許可したり、さらに操作者が所定の入金を行ったときに限りシール再作成を許可したりすることが可能となる。
【００３７】
第１５発明は、上記第１３発明において、前記作成された前記タグ付き画像シールに複数人の前記操作者画像が形成されている場合には、前記読み取り制御手段で前記複数人それぞれの前記個人属性情報又はこれに対応づけられた情報を読み取ったかどうかに応じて、前記連携制御手段の制御に基づく前記タグ付き画像シールの作成を制限する第２制限制御手段を有することを特徴とする。
【００３８】
これにより、複数人で操作して複数のタグ付き画像シールを作成したとき、それら複数のタグ付き画像シールのうち１つのシールの第１無線タグ回路素子に第１人物の情報を書き込み、別のシールの第２無線タグ回路素子に第２人物の情報を書き込んだような場合に、その後第１無線タグ回路素子を備えたシール（又は第２無線タグ回路素子を備えたシール）のみを読み取り制御手段で読み取らせてもそれだけではシール再作成を許可せず、第１無線タグ回路素子と第２無線タグ回路素子の両方から第１及び第２人物に係わる情報をそれぞれ読み取った場合に限り、シール再作成を許可することが可能となる。これにより、さらに多様なニーズに対応でき、利便性が向上する。
【発明の効果】
【００３９】
本発明によれば、操作者画像のみならず当該操作者に関連する個人属性情報等も含んだ複数のタグ付き画像シールを備えた画像シール体を作成することができる。
【発明を実施するための最良の形態】
【００４０】
以下、本発明の一実施の形態を図面を参照しつつ説明する。
【００４１】
図１は、本実施形態の画像シール作成装置が適用される画像シール体販売機の外観を表す斜視図である。この画像シール体販売機（画像シール作成装置）１は、例えばゲームセンター、ボウリング場、遊園地等の遊戯施設や、映画館、デパート、ホテル、駅、待合室、ショッピングセンターなどの集客施設・公共施設等に設置されるものであり、複数人（一人のみの場合も可能）の操作者が自分たちを被写体とした写真を複数の画像シールとして購入するものである。具体的には、上記操作者が、例えば友人・知人と共に当該販売機に備えられたカメラユニットで自分たちを撮影し、それにより取り込まれた画像データ（操作者画像データ）が操作者によって任意に加工・編集された後、一体に形成された複数枚のシール本体にそれぞれ上記画像データの画像が印刷されて複数の画像シールを備えた画像シール体が作成される。
【００４２】
そして、本実施形態による画像シール体販売機が作成する画像シール体には、各画像シールに無線タグ回路素子Ｔoが備えられており（以下、この画像シールをタグ付き画像シールという）、画像シール体販売機はそれら各無線タグ回路素子Ｔoに操作者らのプロフィールデータ（詳しくは後述する）や画像データなどの個人属性情報を記憶させて画像シール体を作成するものである。
【００４３】
図１において、画像シール体販売機１は、概略的に、装置本体２と、この装置本体２に対向するよう配置された背景壁部３と、装置本体２と背景壁部３のそれぞれの上端を渡すように設けられた天板部４とを備えている。また背景壁部３の側面には、天板部４の側部に設けたレール５に沿って引き出すことで装置本体２と背景壁部３との間の空間を覆うことのできるカーテン６が設けられている。このカーテン６を引き出すことで、装置本体２と背景壁部３との間の空間が外部の空間から簡易的に仕切られ、被写体人物（操作者）が撮影を行う略密室の撮影空間が形成される。
【００４４】
装置本体２は、撮影空間側の側面に、被写体人物を撮影するためのカメラユニット（撮影手段）７と、操作者と装置本体２との間で各種の指示や情報を入出力するためのコンソール部（詳しくは後述する）８と、個々のタグ付き画像シールに設けられた上記無線タグ回路素子Ｔoとの間で無線通信により情報の読み出し及び書き込みが可能な外部アンテナ（送受信手段）９と、作成した画像シール体を排出して操作者が取り出すための取り出し口１０とが設けられている。なお、硬貨（紙幣）投入口などの販売のための部位については図示説明を省略する。
【００４５】
図２は、上記装置本体２の詳細構造を表す概念的構成図である。なお、図示の煩雑を避けるためにカメラユニット７、コンソール部８及び外部アンテナ９を筐体の上方に位置させて示している。
【００４６】
図２において、装置本体２は外郭を構成する筐体１１を有しており、この筐体１１の内部には、凹所としてのカートリッジホルダ部（収納体着脱手段、ロールカートリッジホルダ；図示せず）が設けられ、このカートリッジホルダ部に、カートリッジ（タグ媒体収納体、ロールカートリッジ）１００が着脱可能に取り付けられている。また装置本体２は、シール基材テープ（タグ媒体、タグテープ）１０１に所定の印刷を行う印刷ヘッド（画像形成手段；この例ではインクジェットヘッド）１２と、シール基材テープ１０１をカートリッジ１００から繰り出すためのテープ送りローラ駆動軸１３と、シール基材テープ１０１に備えられる無線タグ回路素子Ｔo（詳細は後述）との間で、ＵＨＦ帯、マイクロ波帯、短波帯等適宜の周波数帯域の電波を用いて（あるいはループアンテナ等を用いる電磁結合方式や電磁誘導方式でも良い）無線通信により信号の送受を行う内部アンテナ（送受信手段）１４と、後述するように作成後のタグ付き画像シールに備えられている無線タグ回路素子Ｔoとの間で上記内部アンテナ１４と同等の無線通信による信号の送受を行う上記外部アンテナ９と、上記コンソール部８を構成するパネル部８ａ及びキーボード８ｂと、照明装置（特に図示せず）及びデジタルカメラからなる上記カメラユニット７と、上記シール基材テープ１０１を所定のタイミングで所定の長さに切断し所定枚数のタグ付き画像シール（及びブランクシール；後述）を直列に備えるテープ状の画像シール体を生成するカッタ（分断手段）１５と、装置本体２内部での無線通信による信号送受時において無線タグ回路素子Ｔoを内部アンテナ１４に対向する位置に保持するとともに、切断後の画像シール体を案内するための一対の搬送ガイド１９と、その案内された画像シール体を上記取り出し口１０に連通する搬出口１６へと搬送し送出する送出ローラ１７と、搬出口１６における画像シール体の有無を検出する排出センサ１８とを有している。
【００４７】
一方、装置本体２はまた、上記内部アンテナ１４を介し上記シール基材テープ１０１に備えられる無線タグ回路素子Ｔoへアクセスする（読み取り又は書き込みを行う）とともに上記外部アンテナ９を介し上記作成後のタグ付き画像シールに備えられる無線タグ回路素子Ｔoへアクセスする（読み取り又は書き込みを行う）ための高周波回路（送受信手段）２１と、この高周波回路２１を上記内部アンテナ１４又は上記外部アンテナ９のいずれか一方に接続するよう配線を切り換える切り換えスイッチ２０と、無線タグ回路素子Ｔoから読み出された信号を処理するための信号処理回路２２と、テープ送りローラ駆動軸１３を駆動するカートリッジ用モータ２３と、このカートリッジ用モータ２３の駆動を制御するカートリッジ駆動回路２４と、上記印刷ヘッド１２への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記カメラユニット７、パネル部８ａ、キーボード８ｂ、高周波回路２１、切り換えスイッチ２０、信号処理回路２２、カートリッジ駆動回路２４、印刷駆動回路２５、ソレノイド駆動回路２７、送出ローラ駆動回路２９等を介し、装置本体２全体の動作を制御するための制御回路３０とを有する。
【００４８】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号及び制御処理を行うようになっている。
【００４９】
また、コンソール部８を構成するパネル部８ａについて具体的には、例えば表示装置としてのＬＣＤパネル部分とこのＬＣＤパネル部分の表示を透過しつつ入力装置として機能するタッチパネル部分とが一体に形成されたものであり、またこのパネル部８ａのタッチパネル部分の表面に対して当接することで入力可能なタッチペン３１も備えている。また同様にコンソール部８を構成するキーボード８ｂは、操作者が装置本体２に対して各種の指示を行ったり、また後述するプロフィールデータなどを文字情報として入力するためのものである。
【００５０】
内部アンテナ１４は、この例ではダイポールアンテナで構成されており、対向する上記搬送ガイド１９全体を収容する空間の内部アクセスエリアＡｉの範囲に対して無線通信できるようになっている。また、外部アンテナ９は、この例では平面アンテナで構成されており、装置本体２の筐体１１の前方側（操作者側、すなわち図１における左手前側）に向けた所定の空間の外部アクセスエリアＡｅの範囲に対して無線通信できるようになっている。例えば内部アクセスエリアＡｉは筐体１１内部において形成されるものであり、外部アクセスエリアＡｅは筐体１１外部において形成されるものであって、両エリアは互いに重複せずに混信しない配置で形成されるようになっている。
【００５１】
なお、上記カッタ１５は、上記印刷ヘッド１２の印刷開始点からテープ搬送方向下流側に距離Ｌａだけ離間した配置に設置されている。
【００５２】
図３は、上記カートリッジ１００の詳細構造を説明するための説明図である。
【００５３】
この図３において、カートリッジ１００は、筐体１００Ａと、この筐体１００Ａ内に配置され帯状の上記シール基材テープ１０１が巻回されたシール基材ロール（タグテープロール）１０２と、このシール基材ロール１０２から繰り出されたシール基材テープ１０１の搬送方向を誘導するガイドローラ１０３と、この繰り出されたシール基材テープ１０１を押圧しつつ矢印Ａで示す方向にテープ送りをするテープ送りローラ１０７とを有する。
【００５４】
シール基材ロール１０２は、リール部材１０２ａの周りに、長手方向に複数の無線タグ回路素子Ｔoが所定の等間隔で順次形成（５つ毎にブランクあり。詳しくは後述する）された上記シール基材テープ１０１を巻回している。
【００５５】
シール基材テープ１０１はこの例では３層構造となっており（図３中部分拡大図参照）、外側に巻かれる側（図３中右側）よりその反対側（図３中左側）へ向かって、（例えば表面に対し適宜の受像処理を施した紙から成る）プリント台紙層１０１ａ、適宜の粘着材からなる粘着層１０１ｂ、剥離紙１０１ｃの順序で積層され構成されている。
【００５６】
プリント台紙層１０１ａの裏側（図３中左側）には、情報の送受信を行うアンテナ（タグ側アンテナ）１５２がこの例では一体的に設けられており、これに接続するように情報を更新可能に（書き換え可能rewritableに）記憶するＩＣ回路部１５１が形成され、これらによって無線タグ回路素子Ｔoが構成されている。
【００５７】
プリント台紙層１０１ａの裏側（図３中左側）には、無線タグ回路素子Ｔoを内包するように設けた上記粘着層１０１ｂによって上記剥離紙１０１ｃがプリント台紙層１０１ａに接着されている。そしてシール基材テープ１０１の長手方向において、隣り合う無線タグ回路素子Ｔoどうしの中間位置には上記プリント台紙層１０１ａと上記粘着層１０１ｂだけが切断されたハーフカット状態となって剥離紙１０１ｃだけでつながっている。これらのハーフカット部分（以下、ハーフカット線Ｌｈという）で区切られた区間のプリント台紙層１０１ａと粘着層１０１ｂが、上記無線タグ回路素子Ｔoを一つ備える単体のタグ付き画像シールのシール本体１０４を構成しており、これら各シール本体１０４は最終的に剥離紙１０１ｃから容易に剥離されて粘着層１０１ｂにより他の物品等に貼付できるようにしたものである。なお、本実施形態ではカッタ１５により切断可能であることから、上記ハーフカット線Ｌｈは必ずしも必要ない。またカッタ１５がない場合であっても、必ずしもハーフカット線Ｌｈは必要でなく、この場合には操作者が自らハサミ等によりこのハーフカット線Ｌｈに相当する部位で分断するようにすれば足りる。
【００５８】
テープ送りローラ１０７は、カートリッジ１００外に設けた例えばパルスモータである上記カートリッジ用モータ２３（前述の図２参照）の駆動力が上記テープ送りローラ駆動軸１３（搬送手段、テープ搬送手段）に伝達されることによって回転駆動される。
【００５９】
上記構成のカートリッジ１００において、上記シール基材ロール１０２より繰り出されたシール基材テープ１０１は、テープ送りローラ１０７へと供給される。そして、カートリッジ１００が上記装置本体２のカートリッジホルダ部に装着されロールホルダ（図示せず）が離反位置から当接位置に移動されると、シール基材テープ１０１がテープ送りローラ１０７とサブローラ１０９との間に狭持される。
【００６０】
そして、カートリッジ用モータ２３の駆動力によってテープ送りローラ１０７が矢印Ｂで示す方向に回転駆動される。このとき、シール基材ロール１０２からシール基材テープ１０１が繰り出され、上述のようにテープ送りローラ１０７へ供給される。一方、上記印刷駆動回路２５により印刷ヘッド１２が駆動される。この結果、シール本体１０４の表面に操作者画像（後述の図６参照）が印刷される。そして、印刷が終了した上記シール基材テープ１０１が上記テープ送りローラ１０７及びサブローラ１０９によりカートリッジ１００外へと搬出される。また、ガイドローラ１０３が設けられていることで、シール基材ロール１０２の残量により外径Ｄｒが変化しても装置側の内部アンテナ１４とシール本体１０４の位置関係が所定の範囲となるように規制して、無線タグ回路素子Ｔoとの通信条件を一定に保つようになっている。
【００６１】
なお、詳細な説明及び図示を省略するが、シール基材テープ１０１には無線タグ回路素子Ｔoの位置に対応してセンサマークが設けられており周知の反射型センサにより該センサマークを検出することにより繰り出し量が制御されている。
【００６２】
図４は、上記高周波回路２１の詳細機能及びその周辺の構成を表す機能ブロック図である。この図４において、高周波回路２１は、上記切り換えスイッチ２０を経て２つの内部アンテナ１４及び外部アンテナ９（以下適宜、装置側アンテナ９，１４と総称する）を介しそれぞれ無線タグ回路素子Ｔoに対して信号を送信する送信部３２と、装置側アンテナ９，１４により受信された無線タグ回路素子Ｔoからの反射波を入力する受信部３３と、送受分離器３４とから構成される。
【００６３】
送信部３２は、制御回路３０からの制御信号に応じ、無線タグ回路素子ＴoのＩＣ回路部１５１の無線タグ情報にアクセスする(この例では読み取りおよび書き込み)ための搬送波を発生させる水晶振動子３５、制御回路３０の制御により所定の周波数の信号を発生させるＰＬＬ（Phase  Locked  Loop）３６、及びＶＣＯ（Voltage  Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、ＵＨＦ帯、マイクロ波帯、短波帯等の適宜の周波数を用いており、上記送信アンプ３９の出力は、送受分離器３４を介して切り換えスイッチ２０を経て装置側アンテナ９，１４に伝達されて無線タグ回路素子ＴoのＩＣ回路部１５１に供給される。なお、無線タグ情報は上記のように変調した信号に限られず、単なる搬送波のみの場合もある。
【００６４】
受信部３３は、装置側アンテナ９，１４により受信された無線タグ回路素子Ｔoからの反射波と上記発生させられた搬送波とを乗算して復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記装置側アンテナ４，１４により受信された無線タグ回路素子Ｔoからの反射波と上記発生された後に移相器４９で位相を９０°遅らせた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６５】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態では、Ｉ−Ｑ直交復調によって無線タグ回路素子Ｔoからの反射波の復調が行われる。
【００６６】
そして上述したように送受分離器３４、内部アンテナ１４、及び外部アンテナ９に接続されている切り換えスイッチ２０は、例えば、周知の高周波用ＦＥＴやダイオードあるいはリレーを用いたスイッチ回路であり、制御回路３０からの選択信号により内部アンテナ１４、外部アンテナ９のいずれか一つを送受分離器３４に接続するものである。
【００６７】
図５は、上記無線タグ回路素子Ｔoの機能的構成を表す機能ブロック図である。図５において、無線タグ回路素子Ｔoは、画像シール体販売機１側の内部アンテナ１４と外部アンテナ９のそれぞれに対して非接触で信号の送受信を行う上記アンテナ１５２と、このアンテナ１５２に接続された上記ＩＣ回路部１５１とを有している。
【００６８】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００６９】
変復調部１５８は、アンテナ１５２により受信された上記アンテナ１４からの通信信号の復調を行うと共に、上記制御部１５５からの応答信号に基づき、アンテナ１５２が受信した搬送波を変調し、アンテナ１５２より反射波として再送信する。
【００７０】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００７１】
クロック抽出部１５６は受信した信号からクロック成分を抽出して制御部１５５にクロックを抽出するものであり、受信した信号のクロック成分の速度に対応したクロックを制御部１５５に供給する。
【００７２】
図６（ａ）及び図６（ｂ）は、無線タグ回路素子Ｔoを備えたシール基材テープ１０１から、上述のように所定数の無線タグ回路素子Ｔoの書き込み及びそれらに対応する同数のシール本体１０４に印刷が行われ、ハーフカット線Ｌｈにおいて切断が完了して作成された画像シール体の外観の一例を表す図であり、図６（ａ）は上面図、図６（ｂ）は下面図である。
【００７３】
図６（ａ）に示すように、画像シール体Ｓｔは、それぞれ剥離することで分離可能な一つのブランクシールＳｂと所定数（図示する例では４つ）のタグ付き画像シールＳｉとが、一つの剥離紙１０１ｃを共通の台紙として長手方向に直列な配置で一体的に作成されている。各タグ付き画像シールＳｉの上面（表面）には、上記カメラユニット７の撮影により取り込まれて後述する加工・編集処理が施された画像データの画像Ｐ（操作者画像）が印刷される印刷領域Ｒが設けられている。ブランクシールＳｂは、作成時における装置本体２中での搬送方向の上流側、つまり最初に搬出口１６から排出される側に位置しており、他のタグ付き画像シールＳｉと同じ搬送方向長さであって、このブランクシールＳｂにおいてのみ上記印刷領域Ｒが設けられていない（つまり画像データの画像Ｐが印刷されていない）ものとなっている。なお、このブランクシールＳｂの搬送方向長さＬｓ（つまり各タグ付き画像シールＳｉの搬送方向長さ）は、装置本体２における印刷ヘッド１２の印刷開始点とカッタ１５との距離Ｌａと同じ長さとなっている。
【００７４】
また、図６（ｂ）中の破線で示すように各タグ付き画像シールＳｉの中央位置には無線タグ回路素子Ｔoが内包されているが、ブランクシールＳｂにおいては無線タグ回路素子Ｔoが設けられていない。つまり、画像シール体Ｓｔを作成する元の材料であるシール基材テープ１０１（図３参照）には、長手方向に無線タグ回路素子Ｔoが等間隔で配置されているところ、一つの画像シール体Ｓｔにおけるタグ付き画像シールＳｉの枚数おき（この例では４枚おき）に無線タグ回路素子Ｔoが設けられていないものとなっている。
【００７５】
以上において、本実施形態の最も大きな特徴は、複数のタグ付き画像シールＳｉを備える画像シール体Ｓｔの作成において、上記無線タグ回路素子Ｔoを各タグ付き画像シールＳｉに備えさせ、当該無線タグ回路素子Ｔoに操作者の個人属性情報を記憶させて画像シール体Ｓｔを作成することにある。以下、その詳細を順を追って説明する。
【００７６】
まず、本実施形態の例において、各タグ付き画像シールＳｉに備えられる無線タグ回路素子Ｔoの上記メモリ部１５７に記憶させるデータの構成について説明する。
【００７７】
図７は、無線タグ回路素子Ｔoのメモリ部１５７に記憶させるデータの全体構成の一例を概念的に表す図である。この図７において、被写体人物に関する個人属性情報としてのデータ（以下、シールデータという）は、大別して画像データとプロフィールデータの２つで構成されている。
【００７８】
そのうちの画像データは、この例では、上記カメラユニット７を用いた撮影により取り込んだそのままの画像データである原撮影画像データ（操作者画像データ）と、この原撮影画像データに対して色調（例えばセピア調、モノクロ調など）やぼかしなどの視覚効果を与えるための画像エフェクトデータと、画像中に追加表示するための窓枠や挿絵などといった予め用意された画像データであるデフォルト装飾データと、画像中に追加表示するために上記キーボード８ｂで入力された文字からなる文字装飾データと、画像中に追加表示するために上記タッチペン３１を用いて上記パネル部（タッチパネル部分）８ａに手書きで書き込まれた画像データである手書き装飾データ等とで構成されている。
【００７９】
またプロフィールデータは、後述するように画像中に存在する各被写体人物にそれぞれ対応してデータが格納されるテーブル形式で構成されており、この例では、各被写体人物の画像中における配置を表す人物配置データと、各被写体人物の名前データと、各被写体人物の性別データと、各被写体人物の年齢データと、その他の各被写体人物のデータやコメントからなるコメントデータとで構成されている。
【００８０】
図８は、画像データの一例を模式的に表す図である。この例では、２人の被写体人物（操作者）が横に並んで撮影した原撮影画像データに上記各種の装飾データを追加して合成した場合のものを示している。なお、図示の都合上、色調などの視覚効果を示す画像エフェクトデータについては省略している。図８において、横に並んだ２人の被写体人物を上記カメラユニット７で撮影して取り込んだままの原撮影画像データＤｉに対し、予め用意された複数のデフォルト装飾データのうち選択された窓枠Ｄｄと、上記キーボード８ｂを用いて操作者が入力した文字装飾データである「また会いましょう」の文字Ｄｃと、上記タッチペン３１を用いて上記パネル部８ａに手書きで書き込まれた手書き装飾データの雲型の枠Ｄｈとが合成されて、合成画像データが加工・編集される。そして、各タグ付き画像シールＳｉの本体であるシール本体Ｓｔの表面にはこの合成画像データの画像Ｐが印刷されることになる。なお、これら画像データのうち原撮影画像データＤｉ以外はそれぞれ省略することも可能である。
【００８１】
図９は、プロフィールデータの一例をテーブル形式で概念的に表す図である。この例では、上記図８に示した例に対応しており、横に並んで撮影した２人の被写体人物についてそれぞれのプロフィールデータを入力した場合のものを示している。図９において、各被写体人物を特定するために割り当てられる参照番号（この例では１と２）に対応して、それぞれの被写体人物の画像データ中の配置位置が「左」及び「右」と入力され、またそれぞれの被写体人物の名前、性別、年齢及びコメントが入力されている。上記プロフィールデータ中の各データは全て文字データであって、操作者が上記キーボード８ｂを用いることで任意に入力される。なお、後述するように、このプロフィールデータは、画像データ中に存在する全ての被写体人物についてメモリ部１５７に記憶させる必要はなく、適宜選択した被写体人物だけ入力・記憶させることができる。
【００８２】
図１０は、上記装置本体２の制御回路３０によって実行される制御手順を表すフローチャートである。なお、硬貨（又は紙幣）の投入などの販売についての手順は省略する。この図１０において、所定金額の硬貨等が投入されて販売条件が満たされるとこのフローが開始される。
【００８３】
まずステップＳ１０において、パネル部８ａに制御信号を出力してメニュー画面（特に図示せず）を表示させ、キーボード８ｂからの入力を介して操作者による今回の操作が画像シール体Ｓｔの新規作成であるか否かを判定する。新規作成が選択されている場合、判定が満たされ、次のステップＳ１００へ移り、カメラユニット７での撮影による画像データの取り込みも含めて画像シール体Ｓｔを最初から作成する新規作成処理を行いこのフローを終了する。
【００８４】
一方、上記ステップＳ１０の判定において、新規作成が選択されていない場合、判定が満たされず、ステップＳ２０へ移り、上記ステップＳ１０での選択入力において画像シール体Ｓｔを再発行するよう選択されているか否かを判定する。再発行が選択されている場合、判定が満たされ、次のステップＳ２００へ移り、すでに作成されているタグ付き画像シールＳｉの無線タグ回路素子Ｔoからシールデータを読み込んで同じタグ付き画像シールＳｉ（または画像データ、プロフィールデータを編集したもの）を備えた画像シール体Ｓｔを作成する再発行処理を行いこのフローを終了する。
【００８５】
一方、上記ステップＳ２０の判定において、再発行が選択されていない場合、判定が満たされず、ステップＳ３００へ移り、すでに作成されているタグ付き画像シールＳｉの無線タグ回路素子Ｔoのシールデータを読み込んでそのうちのプロフィールデータを編集し、同じ無線タグ回路素子Ｔoに書き込み直すデータ編集処理を行いこのフローを終了する。
【００８６】
このフローを行うことにより、新規作成処理、再発行処理、及びデータ編集処理を選択実行することができる。なお、販売においては上記各処理のそれぞれの装置負荷の大きさに応じて課金金額を異ならせてもよい。
【００８７】
図１１は、装置本体２の制御回路３０が上記ステップＳ１００において実行する新規作成処理の詳細手順を表すフローチャートである。この図１１において、まずステップＳ１０５において、カメラユニット７に制御信号を出力して被写体人物の撮影を行い原撮影画像データＤｉを取り込む。この際、複数回の撮影を行い、そのうちのいずれの撮影で取り込まれた原撮影画像データＤｉを採用するかを操作者に選択させるようにしてもよい。
【００８８】
次にステップＳ４００へ移り、上記ステップＳ１０５で取り込んで採用された原撮影画像データＤｉを操作者の好みに応じて適宜加工して合成画像データを作成する画像加工処理を行う。
【００８９】
次にステップＳ５００へ移り、被写体人物のうちで任意に選択した者についてのプロフィールデータを入力するプロフィールデータ入力処理を行う。
【００９０】
次にステップＳ６００へ移り、上記ステップＳ５００で入力されたプロフィールデータのうちのどれを画像シール体Ｓｔの中のいずれのタグ付き画像シールＳｉの無線タグ回路素子Ｔoに記憶させるか割り当てるプロフィール割り当て処理を行う。
【００９１】
次にステップＳ７００へ移り、上記ステップＳ４００で作成した合成画像データの画像Ｐを、この例における４枚の連続したシール本体１０４の表面にそれぞれ印刷しつつ、それぞれに内包されている無線タグ回路素子Ｔoに対して画像データ及び上記ステップＳ５００で入力された各被写体人物のプロフィールデータを上記ステップＳ６００で設定された割り当てに応じて書き込み、画像シール体Ｓｔを作成する画像シール体作成処理を行う。そしてこのフローを終了する。
【００９２】
図１２は、装置本体２の制御回路３０が上記ステップＳ４００において実行する画像加工処理の詳細手順を表すフローチャートである。この図１２において、まずステップＳ４０５において、原撮影画像データＤｉに対しどのような視覚効果を付加させるか、つまり装置本体２が予め用意してある所定数の画像エフェクトデータのうちのいずれを適用するか操作者に選択させる（表示信号をパネル部８ａに出力して選択肢を表示させるとともに、対応するキーボード８ｂ等からの操作信号を入力する）。この画像エフェクトデータは、例えばセピア調、モノクロ調などの色調に関するものや、ぼかし、エンボス、広角レンズなどの画像効果に関するものなどがあり、操作者が原撮影画像データＤｉにその視覚効果を付加した状態をパネル部８ａで確認しながら選択入力できるようにするとよい。
【００９３】
次にステップＳ４１０へ移り、装置本体２が予め用意してある所定数のデフォルト装飾データＤｄのうちいずれを画像データに追加表示させるか操作者に選択させる（表示信号をパネル部８ａに出力して選択肢を表示させるとともに、対応するキーボード８ｂ等からの操作信号を入力する）。このデフォルト装飾データＤｄは、画像データの外周側に配置させる窓枠や画像データ中に配置させる挿絵などがあり（図８参照）、上記ステップＳ４０５と同様に画像データに追加表示させた状態を確認しながら選択入力できるようにするとよい。
【００９４】
次にステップＳ４１５へ移り、画像データ中に追加表示させたいメッセージなどの文字列（図８参照）を文字装飾データＤｃとしてキーボード８ｂを介して操作者に入力させる（表示信号をパネル部８ａに出力して文字装飾データＤｃの入力を促す表示を行うとともに、対応するキーボード８ｂ等からの操作信号を入力する）。なおこの際には、文字のフォント（大きさ、字体および色）、画像データ中における文字列の配置などを任意に選択できるようにしてもよく、上記ステップＳ４０５と同様に画像データに追加表示させた状態を確認しながら入力できるようにするとよい。
【００９５】
次にステップＳ４２０へ移り、画像データ中に追加表示させたい手書きの図形・文字など（図８参照）を手書き装飾データＤｈとして操作者にタッチペン３１を用いてパネル部８ａの表面に描画入力させる（表示信号をパネル部８ａに出力して手書き装飾データＤｈの入力を促す表示を行うとともに、対応するタッチペン３１からの操作信号を入力する）。なおこの際には、色などを任意に選択できるようにしてもよく、上記ステップＳ４０５と同様に画像データに追加表示させた状態を確認しながら入力できるようにするとよい。
【００９６】
次にステップＳ４２５へ移り、上記ステップＳ４０５〜ステップＳ４２０で選択・入力した各データを原撮影画像データＤｉに適用した場合に得られる合成画像データを表示信号によりパネル部８ａに表示させ、次のステップＳ４３０でキーボード８ｂを介して操作者が画像の加工を終了するよう指示しているか否かを判定する。加工終了を指示している場合、判定が満たされ、このフローを終了する。一方、加工終了を指示していない場合、判定が満たされず、すなわち操作者が画像の加工をやり直すものとみなしてステップＳ４０５へ戻り、このフローを最初からやり直す。
【００９７】
原撮影画像データＤｉを取り込んでいる状態でこのフローを行うことにより、各シール本体１０４にタグ付き画像シールＳｉとして印刷させる合成画像データが合成されるとともに、それぞれの無線タグ回路素子Ｔoに記憶させる画像データが確定する。
【００９８】
図１３は、装置本体２の制御回路３０が上記ステップＳ５００において実行するプロフィール入力処理の詳細手順を表すフローチャートである。この図１３において、まずステップＳ５０５において、プロフィールを入力する人数Ｍをキーボード８ｂを介して操作者に入力させる（表示信号をパネル部８ａに出力して選択肢を表示させるとともに、対応するキーボード８ｂ等からの操作信号を入力する）。なお、この人数Ｍは、画像データ中に存在する被写体人物の全ての人数に限られずにそれより少ない人数で設定してもよく、または人数Ｍを０としてこのフロー全体をスキップできるようにしてもよい。次にステップＳ５１０へ移り、カウンタ変数Ｉを１に初期化した後にステップＳ５１５へ移る。
【００９９】
ステップＳ５１５では、Ｉ番目にプロフィールデータを登録する被写体人物の画像データ中における配置、つまり人物配置データをキーボード８ｂを介して操作者に入力させる（表示信号をパネル部８ａに出力して選択肢を表示させるとともに、対応するキーボード８ｂ等からの操作信号を入力する）。なお、この際に、公知のパターン認識の技術を用いて原撮影画像データＤｉ中に認識できる人物の顔の配置情報を自動的に生成し、操作者がその配置情報から適宜選択指定できるようにしてもよい。
【０１００】
次にステップＳ５２０へ移り、上記ステップＳ５１５で入力した配置の被写体人物に関するプロフィールデータを、すでに作成されているタグ付き画像シールＳｉの無線タグ回路素子Ｔoから読み込むよう操作者が指示しているか否か判定する。タグ付き画像シールＳｉの無線タグ回路素子Ｔoから既存のシールデータを読み込むのではなく、操作者が新たに入力するよう（例えばキーボード８ｂを介した操作信号によって）指示している場合、判定が満たされず、ステップＳ５２５へ移る。
【０１０１】
ステップＳ５２５では、上記ステップＳ５１５で入力した配置の被写体人物の名前を名前データとしてキーボード８ｂを介して入力させる（表示信号をパネル部８ａに出力してデータ入力を促す表示を行うとともに、対応するキーボード８ｂ等からの操作信号を入力する）。次のステップＳ５３０では、同じ被写体人物の性別を性別データとして選択入力させる（表示信号をパネル部８ａに出力して選択肢の表示を行うとともに、対応するキーボード８ｂ等からの操作信号を入力する）。次のステップＳ５３５では、同じ被写体人物の年齢を年齢データとして入力させる（表示信号をパネル部８ａに出力して選択肢の表示を行うとともに、対応するキーボード８ｂ等からの操作信号を入力する）。次のステップＳ５４０では、同じ被写体人物に関するその他の情報やコメントなどをコメントデータとしてキーボード８ｂを介して入力させる（表示信号をパネル部８ａに出力してコメントデータ入力を促す表示を行うとともに、対応するキーボード８ｂ等からの操作信号を入力する）。そして次のステップＳ５５０へ移る。
【０１０２】
一方、上記ステップＳ５２０の判定において、すでに作成されているタグ付き画像シールＳｉの無線タグ回路素子Ｔoに記憶されている既存のシールデータを入力対象の被写体人物に関するプロフィールデータとして読み込むよう操作者が（キーボード８ｂ等により）指示している場合、判定が満たされ、ステップＳ５４５へ移る。
【０１０３】
ステップＳ５４５では、切り換えスイッチ２０（図２参照）に制御信号を出力して高周波回路２１を外部アンテナ９に接続し、外部アンテナ９を介して操作者が掲げたタグ付き画像シールＳｉの無線タグ回路素子Ｔoと無線通信を行いプロフィールデータを読み取る。この際、複数の人物のプロフィールデータが読み取られた場合には、そのうちの適用する人物のプロフィールデータを操作者に選択指定させるようにしてもよい。そしてステップＳ５５０へ移る。
【０１０４】
ステップＳ５５０では、カウンタ変数Ｉが人数Ｍと同じであるか否か、すなわち上記ステップＳ５０５で操作者が設定した人数の被写体人物全員のプロフィールデータが入力されたか否かを判定する。カウンタ変数Ｉが人数Ｍと同じ場合、判定が満たされ、このフローを終了する。一方、カウンタ変数Ｉが人数Ｍと異なる場合、つまりカウンタ変数Ｉが人数Ｍよりまだ少ない場合、判定が満たされず、すなわち設定した人数のプロフィールデータがまだ全部入力されていないものとみなされ、ステップＳ５５５でカウンタ変数Ｉを１増加した後にステップＳ５１５へ戻り同様の手順を繰り返す。
【０１０５】
このフローを行うことにより、原撮影画像データＤｉ中に存在する被写体人物のうちで操作者が任意に選択した人物にそれぞれ対応するプロフィールデータを作成することができる。
【０１０６】
図１４は、装置本体２の制御回路３０が上記ステップＳ６００において実行するプロフィール割り当て処理の詳細手順を表すフローチャートである。この図１４において、まずステップＳ６０５において、カウンタ変数Ｉを１に初期化する。
【０１０７】
次にステップＳ６１０へ移り、作成しようとする画像シール体Ｓｔが備えるこの例の４枚のタグ付き画像シールＳｉのうちのＩ枚目に備えられる無線タグ回路素子Ｔoに対しどの被写体人物のプロフィールデータを記憶させるかを操作者に選択指定させる（表示信号をパネル部８ａに出力して選択肢を表示させるとともに、対応するキーボード８ｂ等からの操作信号を入力する）。この際、全員のプロフィールデータを図９に示すようなテーブル形式でパネル部８ａに表示させて選択できるようにしてもよい。また、Ｉ枚目のタグ付き画像シールＳｉに対してどの被写体人物のプロフィールデータも記憶させないよう指定人物の人数を０に設定できるようにしてもよい。
【０１０８】
次にステップＳ６１５へ移り、上記ステップＳ６１０で選択指定された被写体人物のそれぞれのプロフィールデータをまとめて１つのテーブル形式として作成し、これを画像シール体ＳｔのうちのＩ枚目のタグ付き画像シールＳｉに対応して記憶させるプロフィールデータのテーブルとして設定する。
【０１０９】
次にステップＳ６２０へ移り、カウンタ変数Ｉが４であるか否か、すなわち４枚全てのタグ付き画像シールＳｉに対応するプロフィールデータのテーブルが設定されたか否かを判定する。カウンタ変数Ｉが４となっている場合、判定が満たされ、このフローを終了する。一方、カウンタ変数Ｉが４と異なる場合、つまりカウンタ変数Ｉがタグ付き画像シールＳｉの枚数の４よりまだ少ない場合、判定が満たされず、すなわち画像シール体Ｓｔが備えるタグ付き画像シールＳｉの枚数分のプロフィールデータのテーブルがまだ全て作成されていないものとみなされ、ステップＳ６２５でカウンタ変数Ｉを１増加した後にステップＳ６１０へ戻り同様の手順を繰り返す。
【０１１０】
このフローを行うことにより、操作者は、上記図１３のプロフィール入力処理で入力した被写体人物のプロフィールデータのうちで、この例における４枚のタグ付き画像シールＳｉそれぞれに対し任意に選択した被写体人物のプロフィールデータを割り当てて４つのプロフィールデータのテーブルを作成することができる。そして、このプロフィールデータの割り当ては様々な組み合わせで行うことができるが、例えば以下のようなパターンで割り当てることが考えられる。
【０１１１】
まず第１のパターンとして、複数人の被写体人物で撮影して画像シール体Ｓｔを作成する場合において、すべてのタグ付き画像シールＳｉの無線タグ回路素子Ｔoに複数人分のプロフィールデータを書き込まず、ある一つのタグ付き画像シールＳｉ（第１タグ付き画像シール）の無線タグ回路素子Ｔo（第１無線タグ回路素子）には第１人物のプロフィールデータ（第１人物の個人属性情報）、また別のタグ付き画像シールＳｉ（第２タグ付き画像シール）の無線タグ回路素子Ｔo（第２無線タグ回路素子）には第２人物のプロフィールデータ（第２人物の個人属性情報）、のようにそれぞれ一つのタグ付き画像シールＳｉの無線タグ回路素子Ｔoに１人分のプロフィールデータのみを書き込むようにする。これにより、例えば他人に配るタグ付き画像シールＳｉには自己のプロフィールデータを書き込まないようにしたり、特定のタグ付き画像シールＳｉに特定人物のプロフィールデータのみを書き込むようにする等、タグ付き画像シールＳｉごとに情報付与設定を行うことが可能となり、さらに多様なニーズに対応でき、利便性が向上する。
【０１１２】
また第２のパターンとして、複数人の被写体人物で撮影して画像シール体Ｓｔを作成する場合において、例えば複数のタグ付き画像シールＳｉ（第３タグ付き画像シール）の無線タグ回路素子Ｔo（第３無線タグ回路素子）には少なくとも２人分のプロフィールデータを書き込むことで、当該少なくとも２人分の情報をそれら複数のタグ付き画像シールＳｉ同士で共有することができる。
【０１１３】
また第３のパターンとして、複数人の被写体人物で撮影して画像シール体Ｓｔを作成する場合において、例えば複数（例えば被写体人物の人数と同数）のタグ付き画像シールＳｉ（第４タグ付き画像シール）の無線タグ回路素子Ｔo（第４無線タグ回路素子）にそれぞれ被写体人物全員分のプロフィールデータを書き込むことで、全員分の情報をそれら複数のタグ付き画像シールＳｉで一律に共有することができる。
【０１１４】
なお、一つの画像シール体Ｓｔが備える複数枚（この例では４枚）のタグ付き画像シールＳｉに対し、それぞれすくなくとも同じ画像データ（各タグ付き画像シールＳｉに共通に印刷されている合成画像データのままでもよいし、それを構成する各画像データ要素の集合でもよい）を書き込む以外は、異なるプロフィールデータを書き込むことができ、それらは上記のパターンを組み合わせてプロフィールデータを書き込むようにしてもよい。
【０１１５】
図１５は、装置本体２の制御回路３０が上記ステップＳ７００において実行する画像シール体作成処理の詳細手順を表すフローチャートである。この図１５において、まずステップＳ７０５において、カウンタ変数Ｉを１に初期化する。
【０１１６】
次にステップＳ７１０へ移り、上記ステップＳ４００で合成された合成画像データに基づき、印刷駆動回路２５に出力するための印刷信号を生成する。
【０１１７】
次にステップＳ７１５へ移り、カートリッジ駆動回路２４に制御信号を出力し、カートリッジ用モータ２３の駆動力によってテープ送りローラ１０７を回転駆動させる。これにより、シール基材ロール１０２からシール基材テープ１０１が繰り出されテープ送りローラ１０７へ供給される。またこのとき、印刷駆動回路２５に上記ステップＳ７１０で生成した印刷信号を出力し、印刷ヘッド１２を通電して、シール本体１０４のうち所定の印刷領域Ｒに、上記ステップＳ４００で合成された合成画像データの画像Ｐを印刷させる。
【０１１８】
なお、このテープ搬送と印刷が開始される直前の状態としては、ブランクシールＳｂの搬送方向先端、つまり画像シール体Ｓｔ全体の搬送方向の下流側先端はカッタ１５の位置と一致しており（すなわち前回切断されたままの状態）、またそのカッタ１５の位置から搬送方向上流側に画像シール１枚分の長さＬａだけ離間している印刷ヘッド１２の印刷開始点は１枚目のタグ付き画像シールＳｉの搬送方向下流側の先端と一致している。これにより、シール基材テープ１０１の搬送を開始すると同時に１枚目のタグ付き画像シールＳｉの印刷を開始することができる。また、このステップＳ７１５では、印刷駆動回路２５にタグ付き画像シールＳｉ１枚分の合成画像データだけが出力される。
【０１１９】
さらにこのステップＳ７１５では、送出ローラ駆動回路２９を介して送出ローラ用モータ２８に制御信号を出力し、送出ローラ１７を回転駆動させる。これにより、前述したようにカッタ１５を通過したシール基材テープ１０１が搬出口１６を介して装置本体２外方向へと搬送される。
【０１２０】
次にステップＳ７２０へ移り、シール基材テープ１０１が所定量（例えば、印刷されたばかりのタグ付き画像シールＳｉに備えられている無線タグ回路素子Ｔoが搬送ガイド１９に到達するだけの搬送距離）だけ搬送されたかどうかを判断する。このときの搬送距離判定は、例えば、上記シール基材テープ１０１に設けた適宜の識別用マークを別途設けた公知のテープセンサで検出することにより行えば足りる。シール基材テープ１０１が所定量搬送された場合、判定が満たされ、ステップＳ７２５に移る。
【０１２１】
ステップＳ７２５では、切り換えスイッチ２０に制御信号を出力して高周波回路２１を内部アンテナ１４に接続した後、印刷中（または印刷が完了した直後）のタグ付き画像シールＳｉに備えられている無線タグ回路素子Ｔoに対して内部アンテナ１４を介しシールデータ（画像データ及びプロフィールデータ）を書き込む。このシールデータの書き込み処理は、特に詳しく説明しないが公知の手法を用いて行うものであり、例えば無線タグ回路素子Ｔoに対して書き込むためのメモリ初期化（消去）を初めに行った後、上記シールデータを無線タグ回路素子Ｔoに送信して書き込む。
【０１２２】
なお、このときに書き込むシールデータ中のプロフィールデータとしては、上記ステップＳ６００のプロフィール割り当て処理で当該書き込み対象の無線タグ回路素子Ｔo（Ｉ枚目のタグ付き画像シールＳｉ）に対応して設定されたテーブル形式のプロフィールデータが用いられる。また、このシールデータの書き込み動作自体は所定の短い時間内に行われるが、この後も１枚分の合成画像データの画像Ｐの印刷がまだ完了していない場合はテープ搬送とともに印刷が継続して行われる。
【０１２３】
次にステップＳ７３０へ移り、シール基材テープ１０１のうちこの時点で作成対象としているＩ枚目のタグ付き画像シールＳｉに対応するシール本体１０４の印刷領域Ｒへの印刷がすべて完了しているかどうかを確認した後、ステップＳ７３５へ移る。
【０１２４】
次のステップＳ７３５では、カウンタ変数Ｉが４であるか否か、すなわち４枚全てのタグ付き画像シールＳｉに対して印刷とシールデータの書き込みが完了したか否かを判定する。カウンタ変数Ｉが４と異なる場合、つまりカウンタ変数Ｉがタグ付き画像シールＳｉの枚数の４よりまだ少ない場合、判定が満たされず、すなわち画像シール体Ｓｔが備えるタグ付き画像シールＳｉがまだ全て作成完了していないものとみなされ、ステップＳ７４０でカウンタ変数Ｉを１増加し、ステップＳ７４５で１枚分の合成画像データの印刷を再開した後にステップＳ７２０へ戻り同様の手順を繰り返す。
【０１２５】
一方、上記ステップＳ７３５の判定において、カウンタ変数Ｉが４となっている場合、判定が満たされ、すなわち４枚全てのタグ付き画像シールＳｉの作成が完了したとみなされて、次のステップＳ７５０へ移る。なお、この時点では４枚目のタグ付き画像シールＳｉの搬送方向上流側端部、つまり画像シール体Ｓｔ全体の搬送方向後端は印刷ヘッド１２の印刷開始点に位置している。
【０１２６】
次にステップＳ７５０では、タグ付き画像シールＳｉ４枚分の印刷とシールデータの書き込みを終えたシール基材テープ１０１がさらに所定量（タグ付き画像シールＳｉ１枚分の搬送方向長さＬｓの距離）だけ搬送されたかどうかを判断する。このときの搬送距離判定も、前述のステップＳ７２０と同様、例えばマーキングをテープセンサで検出することにより行えば足りる。判定が満たされた際、その時点で４枚目のタグ付き画像シールＳｉの搬送方向上流側端部がカッタ１５の位置と一致していることになり、次のステップＳ７５５に移る。
【０１２７】
ステップＳ７５５では、カートリッジ駆動回路２４及び送出ローラ駆動回路２９に制御信号を出力し、カートリッジ用モータ２３及び送出ローラ用モータ２８の駆動を停止して、テープ送りローラ１０７、送出ローラ１７の回転を停止する。これにより、シール基材ロール１０２からのシール基材テープ１０１の繰り出し及び送出ローラ１７による画像シール体Ｓｔの搬送が停止する。
【０１２８】
その後、ステップＳ７６０でソレノイド駆動回路２７に制御信号を出力してソレノイド２６を駆動し、カッタ１５によって画像シール体Ｓｔの切断を行う。前述したように、この時点で、４枚目のタグ付き画像シールＳｉの搬送方向上流側端部がカッタ１５の位置と一致しており、このカッタ１５の切断によって、１枚のブランクシールＳｂと４枚のタグ付き画像シールＳｉを一体に備えた画像シール体Ｓｔが生成される。
【０１２９】
その後、ステップＳ７６５に移り、送出ローラ駆動回路２９に制御信号を出力し、送出ローラ用モータ２８の駆動を再開して、排出センサ１８が画像シール体Ｓｔの存在を検出しなくなるまで送出ローラ１７を回転させる。これにより、送出ローラ１７による搬送が再開されて上記ステップＳ７６０で生成された画像シール体Ｓｔが搬出口１６へ向かって搬送され、搬出口１６から取り出し口１０へと排出される。
【０１３０】
このフローを行うことにより、各タグ付き画像シールＳｉに共通する合成画像データが印刷されてそれぞれの無線タグ回路素子Ｔoごとに設定されたプロフィールデータが書き込まれた画像シール体Ｓｔを作成することができる。
【０１３１】
図１６は、装置本体２の制御回路３０が上記ステップＳ２００において実行する再発行処理の詳細手順を表すフローチャートである。この図１６において、まずステップＳ２０５において、切り換えスイッチ２０に制御信号を出力して高周波回路２１を外部アンテナ９に接続した後、操作者が外部アンテナ９の前にかかげたタグ付き画像シールＳｉ（作成済み）に備えられている無線タグ回路素子Ｔoから外部アンテナ９を介してシールデータ（画像データ及びプロフィールデータ）を読み込む。このシールデータの読み込み処理は、特に詳しく説明しないが公知の手法を用いて行うものである。
【０１３２】
次にステップＳ２１０へ移り、キーボード８ｂからの入力を介して操作者が画像データの再加工を行うよう指示しているか否かを判定する。再加工を行うよう指示している場合、判定が満たされ、ステップＳ４００の画像加工処理（上記図１２参照）を行った後にステップＳ２１５へ移る。なお、このステップＳ４００の画像加工処理を行うためには、上記ステップＳ２０５で読み取ったシールデータ中の画像データが合成画像データではなく画像データ要素の集合である必要がある。一方、再加工を行う指示がなされていない場合、判定が満たされず、そのままステップＳ２１５へ移る。
【０１３３】
ステップＳ２１５では、キーボード８ｂからの入力を介して操作者がプロフィールデータの編集を行うよう指示しているか否かを判定する。編集を行うよう指示している場合、判定が満たされ、ステップＳ８００のプロフィール編集処理を行った後にステップＳ６００へ移る。一方、編集を行う指示がなされていない場合、判定が満たされず、そのままステップＳ６００へ移る。
【０１３４】
そして、ステップＳ６００でプロフィール割り当て処理（上記図１４参照）を行った後に、ステップＳ７００の画像シール体作成処理（上記図１５参照）を行い、このフローを終了する。
【０１３５】
図１７は、装置本体２の制御回路３０が上記ステップＳ８００において実行するプロフィール編集処理の詳細手順を表すフローチャートである。この図１７において、まずステップＳ８０５において、その時点で記憶している全部のプロフィールデータをパネル部８ａに表示信号を出力して表示させる。
【０１３６】
次にステップＳ８１０へ移り、キーボード８ｂからの入力を介していずれかのプロフィールデータを削除するよう指示されているか否かを判定する。削除するよう指示がされている場合、判定が満たされ、ステップＳ８１５へ移ってパネル部８ａに表示した人物のうちいずれの人物のプロフィールデータを削除するか操作者に選択指定させ（表示信号をパネル部８ａに出力して選択肢を表示させるとともに、対応するキーボード８ｂ等からの操作信号を入力する）、次のステップＳ８２０でその選択指定された人物のプロフィールデータを削除してステップＳ８４５へ移る。一方、削除する指示がなされていない場合、判定が満たされず、ステップＳ８２５へ移る。
【０１３７】
ステップＳ８２５では、キーボード８ｂからの入力を介して新たにプロフィールデータを追加するよう指示されているか否かを判定する。追加するよう指示がされている場合、判定が満たされ、ステップＳ５００のプロフィール入力処理（上記図１３参照）を行って新たなプロフィールデータを追加した後にステップＳ８４５へ移る。一方、追加する指示がなされていない場合、判定が満たされず、ステップＳ８３０へ移る。
【０１３８】
ステップＳ８３０では、パネル部８ａに表示した人物のうちいずれの人物のプロフィールデータを編集するか操作者に選択指定させ（表示信号をパネル部８ａに出力して選択肢を表示させるとともに、対応するキーボード８ｂ等からの操作信号を入力する）、次のステップＳ８３５で編集対象者のプロフィールデータのうちのどのデータ要素を編集するか操作者に選択指定させる（表示信号をパネル部８ａに出力して選択肢を表示させるとともに、対応するキーボード８ｂ等からの操作信号を入力する）。
【０１３９】
次にステップＳ８４０へ移り、上記ステップＳ８３０と上記ステップＳ８３５で指定された編集対象の人物のプロフィールデータのデータ要素に対しどのような内容で編集するかを表す操作者による操作信号を入力し、その信号に対応する内容を編集データとして置き換える。
【０１４０】
そして次のステップＳ８４５で、その時点で記憶している編集済み（人物の削除・追加も含む）の全部のプロフィールデータをパネル部８ａに表示信号を出力して再表示させる。
【０１４１】
次にステップＳ８５０へ移り、キーボード８ｂからの入力を介してプロフィールデータの編集を完了するよう指示されているか否かを判定する。編集を完了するよう指示されている場合、判定が満たされ、このフローを終了する。一方、編集を完了する指示がなされていない場合、判定が満たされず、ステップＳ８１０へ戻り同様の手順を繰り返す。
【０１４２】
このフローを行うことにより、その時点で記憶されている全人物の全部のプロフィールデータに対し、人物の削除と追加も含めた多様な編集を行うことができる。なお、人物を追加する場合、上記図１３で示すステップＳ５００のプロフィール入力処理で説明したように、すでに作成済みのタグ付き画像シールＳｉに備えられている無線タグ回路素子Ｔoから既存のプロフィールデータを読み取り、簡易的に追加することができる。
【０１４３】
図１８は、装置本体２の制御回路３０が上記ステップＳ３００において実行するデータ編集処理の詳細手順を表すフローチャートである。この図１８において、まずステップＳ３０５において、切り換えスイッチ２０に制御信号を出力して高周波回路２１を外部アンテナ９に接続した後、操作者が外部アンテナ９の前にかかげたタグ付き画像シールＳｉ（作成済み）に備えられている無線タグ回路素子Ｔoから外部アンテナ９を介してシールデータを読み込む。
【０１４４】
次にステップＳ８００のプロフィール編集処理（上記図１７参照）を行ってプロフィールデータを編集した後、ステップＳ３１０で外部アンテナ９を介して編集されたシールデータを編集対象のタグ付き画像シールＳｉに備えられている無線タグ回路素子Ｔoに書き込み、このフローを終了する。
【０１４５】
以上において、図１３のフローで示すプロフィール入力処理が、操作者の個人属性情報を入力する情報入力手段として機能する。
【０１４６】
また、図１５のフローにおけるステップＳ７２５が、図１３に示すプロフィール入力処理で入力した個人属性情報を、内部アンテナ１４及び高周波回路２１を介し、無線タグ回路素子ＴoのＩＣ回路部に書き込む書き込み制御手段を構成する。
【０１４７】
また、図１３のフローにおけるステップＳ５４５、図１６のフローにおけるステップＳ２０５、及び図１８のフローにおけるステップＳ３０５が、作成されたタグ付き画像シールＳｉに備えられた無線タグ回路素子ＴoのＩＣ回路部に記憶されたシールデータを、外部アンテナ９及び高周波回路２１を介し読み取る読み取り制御手段として機能する。
【０１４８】
また、図１７のフローで示すプロフィール編集処理が、図１６のフローにおけるステップＳ２０５及び図１８のフローにおけるステップＳ３０５での読み取り結果に応じて取得したプロフィールデータの内容を編集するための編集指示信号を入力する指示入力手段として機能する。
【０１４９】
また、図１６のフローで示す再発行処理が、同図１６のフローにおけるステップＳ２０５での読み取り結果に応じて、印刷ヘッド１２による画像形成動作、及び、図１５のフローにおけるステップＳ７２５による情報書き込み動作を連携して制御する連携制御手段として機能する。
【０１５０】
以上のように構成した本実施形態においては、カメラユニット７で撮影した操作者の画像Ｐを印刷ヘッド１２で被形成体であるシール基材テープ１０１のシール本体１０４に形成する。このとき、このシール本体１０４には無線タグ回路素子Ｔoが備えられており、操作者のプロフィールデータなどの個人属性情報が図１３のフローで示すプロフィール入力処理で入力されると、内部アンテナ１４及び高周波回路２１を介した無線通信により図１５のフローにおけるステップＳ７２５がそのプロフィールデータを含むシールデータを無線タグ回路素子Ｔoに書き込む。これにより、プロフィールデータ等が書き込まれた無線タグ回路素子Ｔoと操作者画像Ｐをそれぞれ有する複数のタグ付き画像シールＳｉを備えた画像シール体Ｓｔを作成する。
【０１５１】
このように、画像シール体Ｓｔに備えられる各画像シールＳｉに無線タグ回路素子Ｔoが備えられ、さらにその無線タグ回路素子Ｔoに被写体人物のプロフィールデータなどの個人属性情報が記憶されていることにより、操作者画像Ｐのみならず当該操作者に関連する個人属性情報等も含んだ画像シールを実現することができる。この結果、当該個人属性情報の各種活用を可能とすることで、娯楽性や情報処理への応用性を高め、画像シールとしての商品価値を高めることができる。
【０１５２】
また、本実施形態では特に、画像シール体Ｓｔの作成時において各タグ付き画像シールＳｉに備えられている無線タグ回路素子Ｔoにカメラユニット７で撮影した原撮影画像データＤｉも書き込んでいることにより、すでに作成されたタグ付き画像シールＳｉの無線タグ回路素子Ｔoに書き込まれたシールデータ（画像データ）を後に読み取ることで操作者画像データを取得し、作成時の操作者画像Ｐを再現することができる。
【０１５３】
また、本実施形態では特に、複数人の被写体人物をカメラユニット７で撮影し、図１３に示すプロフィール入力処理で当該複数人の被写体人物のプロフィールデータを入力し、さらに図１５のフローにおけるステップＳ７２５で当該複数人の被写体人物のプロフィールデータを画像シール体Ｓｔの各タグ付き画像シールＳｉに備えられている無線タグ回路素子Ｔoに書き込んでいることにより、複数人で利用したときに、それら複数人の操作者画像Ｐと当該複数人操作者に関連する個人属性情報（画像データ及びプロフィールデータ）等も含んだ画像シールを実現することができる。
【０１５４】
また、本実施形態では特に、カートリッジホルダ部にカートリッジ１００を装着すると、カートリッジ１００より供給されたシール基材テープ１０１がテープ送りローラ１０７で搬送され、これを用いて画像シールが作成される。このように画像シールの作成とともに消費するシール基材テープ１０１を着脱可能なカートリッジ１００の態様とすることで、シール基材テープ１０１の交換を容易とすることができる。
【０１５５】
また、本実施形態では特に、カートリッジホルダ部にカートリッジ１００を装着すると、カートリッジ１００のシール基材ロール１０２から繰り出されたシール基材テープ１０１がテープ送りローラ１０７で搬送される。この搬送されるシール基材テープ１０１に対し、印刷ヘッド１２で操作者画像Ｐを形成し、無線タグ回路素子ＴoのＩＣ回路部に図１５のフローにおけるステップＳ７２５で個人属性情報等を書き込む。このような各種処理を施したシール基材テープ１０１をカッタ１５で所定長さ単位で分断することにより、個人属性情報等を含む複数のタグ付き画像シールＳｉを円滑に作成し、個別に貼り付けて利用することができる。
【０１５６】
また、本実施形態では特に、作成されたタグ付き画像シールＳｉに備えられた無線タグ回路素子ＴoのＩＣ回路部に記憶された操作者の個人属性情報等を図１３のフローにおけるステップＳ５４５、図１６のフローにおけるステップＳ２０５及び図１８のフローにおけるステップＳ３０５で読み取ることにより、当該個人属性情報の各種活用が可能となり、娯楽性や情報処理への応用展開を図ることができる。
【０１５７】
また、本実施形態では特に、図１６の再発行処理のフローにおけるステップＳ２０５が、個人属性情報としてＩＣ回路部に記憶された被写体人物の画像データを、外部アンテナ９及び高周波回路２１を介し読み取ることができるので、当該画像データを用いて、同一の画像Ｐを備えた新たな画像シールを容易に作成(画像の複製)することができる。
【０１５８】
また、本実施形態では特に、図１７のフローで示すプロフィール編集処理において、図１６のフローにおけるステップＳ２０５及び図１８のフローにおけるステップＳ３０５での読み取り結果に応じて取得した個人属性情報の内容を編集することにより、単なる同一データの複製でなく当該データを修正・変更できるので、利便性を向上することができる。
【０１５９】
また、本実施形態では特に、図１６のフローで示す再発行処理において、すでに作成されたタグ付き画像シールＳｉに備えられた無線タグ回路素子ＴoのＩＣ回路部に記憶された操作者の個人属性情報等をステップＳ２０５の手順により取得し、その取得した個人属性情報等を利用（複製又は修正・変更等）して、再度、印刷ヘッド１２で画像Ｐを形成しまた図１５のフローにおけるステップＳ７２５で情報書き込みを行いタグ付き画像シールＳｉを作成することができる。これにより、同一のタグ付き画像シールＳｉの再作成や、(画像Ｐを含む)同一情報を書き込んだシールの作成や、さらには類似シール・類似情報書き込みシールの作成を容易に行うことができる。
【０１６０】
なお、本実施形態では、シール基材ロール１０２から引き出したシール基材テープ１０１を利用して複数のタグ付き画像シールＳｉを直列に配置した画像シール体Ｓｔを作成したが、本発明はこれに限られずに、例えば単票形状（幅方向にも十分な長さを有する略長方形のシート形状）の剥離紙に複数のタグ付き画像シールＳｉを剥離可能に備える画像シール体を作成してもよい。
【０１６１】
つまり、特に図示しないが、タグ媒体として略シート状に構成された剥離紙（剥離材）と、略シート状の形状を備えて無線タグ回路素子Ｔoをそれぞれ備えた複数の領域ごとに個別に上記剥離紙より剥離可能に構成されたシール本体１０４とを含む単票形状のタグシートを供給可能なシートカートリッジをカートリッジホルダ部（シートカートリッジホルダ）に装着し、このカートリッジホルダ部に装着されたシートカートリッジから供給されるタグシートを搬送するシート搬送ローラ（シート搬送手段）を装置本体２に備える。
【０１６２】
このような構成とした装置本体２では、搬送されるタグ媒体としてのタグシートに対し、印刷ヘッド１２で操作者画像Ｐを形成し、無線タグ回路素子ＴoのＩＣ回路部に対して図１５のフローにおけるステップＳ７２５の手順により個人属性情報等を書き込む。このようにして、個人属性情報等を含む複数のタグ付き画像シールＳｉを備えた画像シール体Ｓｔを円滑に作成し、使用時には、略シート状の剥離紙から(操作者画像Ｐを印刷して無線タグ回路素子Ｔoへの情報書き込みを行った)シール本体１０４を各領域ごとに剥離して、タグ付き画像シールＳｉとして用いる。これにより、個人属性情報等を含む複数の画像シールを個別に貼り付けて利用することができる。
【０１６３】
そしてこの場合、剥離紙が幅方向にも十分な長さを有する単票形状となっているため、その縦方向と横方向でそれぞれ複数の行と列となる配置でタグ付き画像シールＳｉを設けることができる。
【０１６４】
また、本実施形態では、外部アンテナ９と、カメラユニット７と、コンソール部８と、画像シール体Ｓｔを作成する部分と、制御回路３０とを装置本体２として一体に構成したが、本発明はこれに限られずに、例えば特に図示しないが汎用のパーソナルコンピュータを全体の制御部としてこれにカメラユニット、コンソール部としてのディスプレイ装置とタッチパネルとキーボード、及び外部アンテナを備えた画像シール体作成部（カートリッジホルダ部、印刷ヘッド、カッタ、内部アンテナなどを備えたもの）を接続したシステムで画像シール作成装置を構成してもよい。
【０１６５】
また、本実施形態において、各タグ付き画像シールＳｉの無線タグ回路素子Ｔoに記憶させるシールデータのデータ構成は、図７に示したように各データ要素が集合した画像データとプロフィールデータとで構成されていたが、本発明はこれに限られずに、例えば被写体人物に関するその他のデータも含めた構成としてもよい。
【０１６６】
また、本実施形態において、ブランクシールＳｂには無線タグ回路素子が設けられていない構成（図６参照）となっているが、本発明はこれに限られず、ブランクシールＳｂにも他のシール本体１０４と同様に無線タグ回路素子を備えてもよく、これによりシール基材テープ１０１の全体に渡って一律に等間隔で無線タグ回路素子を設けることになるため、シール基材テープ１０１の製作容易性の面で有効である。またこの場合、ブランクシールＳｂに備える無線タグ回路素子に画像シール体Ｓｔ全体に関する情報などを記憶させることもできる。
【０１６７】
なお、本発明は、上記一実施形態に限られるものではなく、その趣旨及び技術思想を逸脱しない範囲で種々の変形が可能である。以下、そのような変形例を順を追って説明する。
【０１６８】
（１）個人属性情報をデータベースで管理する場合
上記実施形態では、タグ付き画像シールＳｉが備える無線タグ回路素子Ｔoに個人属性情報であるシールデータ（画像データ及びプロフィールデータ）を記憶させて管理していたが、本発明はこれに限られず、タグ付き画像シールＳｉが備える無線タグ回路素子Ｔoにはその個体を特定可能な識別情報（操作者の個人属性情報に対応付けられた情報；以下、タグＩＤという）のみを記憶させおき、そのタグＩＤに対応するシールデータを画像シール体販売機側に設けたデータベースで記憶し管理してもよい。
【０１６９】
図１９は、個人属性情報を画像シール体販売機外に設けたデータベースで管理する場合の装置本体の詳細構造を表す概念的構成図であり、上記図２に対応する図である。なお、上記実施形態における画像シール体販売機１の構成（図２参照）と同等の部分については同じ符号を付して適宜説明を省略又は簡略化する。
【０１７０】
図１９に示すこの例において、画像シール体販売機の装置本体２０２はネットワーク通信制御部３２を備えており、制御回路３０はこのネットワーク通信制御部３２及びインターネットなどの適宜の通信ネットワークＮＷを介して外部に設けたデータベース（図中ではＤＢと省略）５０と情報信号を授受可能に接続している。
【０１７１】
このデータベース５０は、例えばハードディスク装置などの大容量記憶装置で構成されており、各タグ付き画像シールＳｉの無線タグ回路素子Ｔoが記憶するタグＩＤと関連付けて個人属性情報であるシールデータを記憶している（さらにそのタグ付き画像シールＳｉを所持するユーザの識別情報(ユーザＩＤ)などを記憶してもよい）。
【０１７２】
そして上記構成の本変形例において制御回路３０が実行する制御手順としては、特に図示しないが、上記実施形態における制御手順のうち図１５の画像シール体作成処理のフローにおけるステップＳ７２５で内部アンテナ１４により無線タグ回路素子Ｔoにそのままシールデータを書き込む代わりに、一意的な内容のタグＩＤを生成し（またはデータベース５０より取得し）内部アンテナ１４により無線タグ回路素子ＴoにそのタグＩＤを書き込むとともにそのタグＩＤとともにシールデータをデータベース５０に送信してそれらを関連づけて格納させるようにする（なお、予め各無線タグ回路素子Ｔoに一意のタグＩＤが記憶されている場合は、内部アンテナ１４がそれを読み取ってシールデータとともにデータベース５０に格納すればよい）。
【０１７３】
また、図１３のプロフィール入力処理のフローにおけるステップＳ５４５、図１６の再発行処理のフローにおけるステップＳ２０５、及び図１８のデータ編集処理のフローにおけるステップＳ３０５で、外部アンテナ９を介してタグ付き画像シールＳｉの無線タグ回路素子ＴoからタグＩＤを読み取るとともにその読み取ったタグＩＤに対応するシールデータ（またはそのうちのプロフィールデータだけ）をデータベース５０から取得するようにする。
【０１７４】
以上のように構成した本変形例においては、タグ付き画像シールＳｉの無線タグ回路素子Ｔoはわずかな容量のタグＩＤのみを記憶していればよいため、ＩＣ回路部１５１が備えるメモリ部１５７の構成を簡略化できるとともに、画像シール体販売機１側の内部アンテナ１４及び外部アンテナ９を介した無線通信による情報送受信においても、無線タグ回路素子Ｔoとの間で非常に短いタグＩＤの読み取りだけで済むため無線通信の確実性を向上させることができる。
【０１７５】
また、データベース５０は無線タグ回路素子ＴoのＩＣ回路部が備える上記メモリ部１５７よりも各段に大きい容量の情報を記憶することができるため、タグＩＤに対応させて様々な個人属性情報やシール属性情報を記憶させることができる。そしてその個人属性情報やシール属性情報の内容に対応して再発行処理やデータ編集処理に制限を設けることも可能である。
【０１７６】
例えばタグＩＤと対応させてそのタグ付き画像シールＳｉの発行日をシール属性情報としてデータベース５０に記憶させておき（またはこの発行日はタグＩＤとともに無線タグ回路素子Ｔoに記憶させてもよい）、再発行処理又はデータ編集処理を行う際には読み取った発行日からの経過日数情報に応じて有効期限内に限り再発行又はデータの編集を許可できるようにしてもよい（＝第１制限制御手段）。なお、この発行日は最初に画像シール体Ｓｔを新規作成した日付でもよいし、または前回の再発行やデータ編集を行った最新の日付でもよい。
【０１７７】
また、上記既作成タグ付き画像シールＳｉに対する再発行処理やデータ編集処理の制限（禁止を含む）を、当該シールＳｉに画像がある被写体人物の数（例えば無線タグ回路素子Ｔoに記憶されている画像データの人数でもよい）と、外部データ９を介し無線タグ回路素子Ｔoから読み取った上記タグＩＤの数との整合によって決定するようにしても良い（＝第２制限制御手段）。
【０１７８】
すなわち、複数人で操作して複数のタグ付き画像シールＳｉを作成したとき、先に第１のパターンとして説明したように、それら複数のタグ付き画像シールＳｉのうち１つのシールの無線タグ回路素子Ｔo（第１無線タグ回路素子）に第１人物のプロフィールデータ（個人属性情報）を書き込み、別のシールの無線タグ回路素子Ｔo（第２無線タグ回路素子）に第２人物のプロフィールデータ（個人属性情報）を書き込んだような場合を考える。この場合に、その後上記第１無線タグ回路素子Ｔoを備えたシールＳｉ又は第２無線タグ回路素子Ｔoを備えたシールＳｉのいずれか一方のみから、対応するプロフィールデータを外部アンテナ９で読み取らせてもそれだけではシール再作成を許可せず、第１無線タグ回路素子Ｔoと第２無線タグ回路素子Ｔoの両方から第１及び第２人物に係わるプロフィールデータを併せて読み取った場合に限り、シール再作成を許可する。これにより、さらに多様なニーズに対応でき、利便性が向上する。
【０１７９】
また、このような再発行処理やデータ編集処理の制限を操作者による新たな入金により許可することも可能であり、上記経過日数情報及びその入金情報のうち少なくともいずれか一方に応じて制限すればよく、さらにそれら経過日数情報及び入金情報の程度に応じて段階的な制限（禁止も含む）を設けるようにしてもよい。
【０１８０】
また、データベース５０は通信ネットワークＮＷを介して複数の画像シール体販売機と共通して利用できるようにすることにより、いずれの画像シール体販売機においても一律に同じシールデータを管理することができるため利便性が向上する。一方、画像シール体販売機の装置本体２内に当該販売機専用のデータベースを備えてもよく、この場合には当該販売機での独立したシールデータの管理を行うことになる。
【０１８１】
（２）その他
また、以上においては、移動中のシール基材テープ１０１に対して無線タグ情報（シールデータ、タグＩＤ）の書き込み・読み取りや印刷を行う例を示したが、これに限られず、シール基材テープ１０１等を所定位置で停止させて（さらに読み取り・書き込みについては所定の搬送ガイド１９にて保持した状態としてもよい）上記印刷や読み取り・書き込みを行うようにしてもよい。
【０１８２】
また、以上において、印刷及び無線タグ回路素子Ｔoへのアクセス（読み取り又は書き込み）の終了したシール基材用テープ１１０をカッタ１５で切断して画像シール体Ｓｔを作成した場合を例にとって説明したが、これに限られない。すなわち、シール基材ロール１０２から繰り出されるシール基材テープ１０１上にシール本体１０４が上記ハーフカット線Ｌｈを介して連続配置されていることから、カッタ１５で切断しなくても、シール基材テープ１０１が搬出口１６から排出されてきた後にタグ付き画像シールＳｉ（アクセス済みの無線タグ回路素子Ｔoが備えられかつ操作者画像Ｐが印刷されたもの）のみをテープ（剥離紙）から剥がしてタグ付き画像シールＳｉを販売するようにしても良く、本発明はこのようなものに対しても適用できる。なお、前述したようにハーフカット線Ｌｈは必須ではなく、操作者が自らハサミなどで切断するようにしてもよい。
【０１８３】
さらには備えるシール本体１０４の大きさや枚数が異なる各種のシール基材テープ１０１やタグシートを操作者が別途購入しておき、それらを装置本体２外より１枚ずつ所定のフィーダ機構によって移送し装置本体２内へ供給する構成も考えられる。この場合も同様の効果を得る。
【０１８４】
また、以上既に述べた以外にも、上記実施形態や各変形例による手法を適宜組み合わせて利用しても良い。
【０１８５】
その他、一々例示はしないが、本発明は、その趣旨を逸脱しない範囲内において、種々の変更が加えられて実施されるものである。
【図面の簡単な説明】
【０１８６】
【図１】本発明の一実施形態の画像シール作成装置（画像シール体販売機）の外観を表す斜視図である。
【図２】装置本体の詳細構造を表す概念的構成図である。
【図３】カートリッジの詳細構造を説明するための説明図である。
【図４】高周波回路の詳細機能及びその周辺の構成を表す機能ブロック図である。
【図５】無線タグ回路素子の機能的構成を表す機能ブロック図である。
【図６】無線タグ回路素子を備えて印刷が行われハーフカット線において切断が完了して作成された画像シール体の外観の一例を表す上面図及び下面図である。
【図７】無線タグ回路素子のメモリ部に記憶させるデータの全体構成の一例を概念的に表す図である。
【図８】画像データの一例を模式的に表す図である。
【図９】プロフィールデータの一例をテーブル形式で概念的に表す図である。
【図１０】装置本体の制御回路によって実行される制御手順を表すフローチャートである。
【図１１】装置本体の制御回路がステップＳ１００において実行する新規作成処理の詳細手順を表すフローチャートである。
【図１２】装置本体の制御回路がステップＳ４００において実行する画像加工処理の詳細手順を表すフローチャートである。
【図１３】装置本体の制御回路がステップＳ５００において実行するプロフィール入力処理の詳細手順を表すフローチャートである。
【図１４】装置本体の制御回路が上記ステップＳ６００において実行するプロフィール割り当て処理の詳細手順を表すフローチャートである。
【図１５】装置本体の制御回路がステップＳ７００において実行する画像シール体作成処理の詳細手順を表すフローチャートである。
【図１６】装置本体の制御回路がステップＳ２００において実行する再発行処理の詳細手順を表すフローチャートである。
【図１７】装置本体の制御回路がステップＳ８００において実行するプロフィール編集処理の詳細手順を表すフローチャートである。
【図１８】装置本体の制御回路がステップＳ３００において実行するデータ編集処理の詳細手順を表すフローチャートである。
【図１９】個人属性情報を画像シール体販売機側に設けたデータベースで管理する変形例における画像シール体販売機の詳細構造を表す概念的構成図である。
【符号の説明】
【０１８７】
１                画像シール体販売機（画像シール作成装置）
２                装置本体
７                カメラユニット（撮影手段）
８                コンソール部
８ａ              パネル部
８ｂ              キーボード
９                外部アンテナ（送受信手段）
１２              印刷ヘッド（画像形成手段）
１３              テープ送りローラ駆動軸（搬送手段、テープ搬送手段）
１４              内部アンテナ（送受信手段）
１５              カッタ（分断手段）
２０              切り換えスイッチ
２１              高周波回路（送受信手段）
２２              信号処理回路
３０              制御回路
３１              タッチペン
５０              データベース
１００            カートリッジ
１０１            シール基材テープ（タグ媒体、タグテープ）
１０４            シール本体
１０７            テープ送りローラ
２０２            装置本体
Ｓｉ              タグ付き画像シール
Ｓｔ              画像シール体
Ｓｂ              ブランクシール
Ｐ                操作者画像
Ｄｉ              原撮影画像データ
Ｄｄ              デフォルト装飾データ
Ｄｃ              文字装飾データ
Ｄｈ              手書き装飾データ
ＮＷ              通信ネットワーク
【図１】
2008035433.tif 000003
【図２】
2008035433.tif 000004
【図３】
2008035433.tif 000005
【図４】
2008035433.tif 000006
【図５】
2008035433.tif 000007
【図６】
2008035433.tif 000008
【図７】
2008035433.tif 000009
【図８】
2008035433.tif 000010
【図９】
2008035433.tif 000011
【図１０】
2008035433.tif 000012
【図１１】
2008035433.tif 000013
【図１２】
2008035433.tif 000014
【図１３】
2008035433.tif 000015
【図１４】
2008035433.tif 000016
【図１５】
2008035433.tif 000017
【図１６】
2008035433.tif 000018
【図１７】
2008035433.tif 000019
【図１８】
2008035433.tif 000020
【図１９】
2008035433.tif 000021